Podtech/llm-jp-corpus-v4-ja_patent huggingface dataset:
(57)【要約】      （修正有）【課題】コンビニエンスストア等の店舗での精算時に添付される、割り箸、ストロー等の添付物品を、店員と客双方が明確に必要か不必要かを意思伝達させ、その添付物品を余計に渡してゴミにしてしまうことを減らす、添付物品の必要か不必要かを明確にする意思伝達及びゴミ削減方法を提供する。【解決手段】店舗の各所に、割り箸、ストロー等の添付物品が必要か不必要かを明示した意思表示媒体を設け、客が客の意思で弁当等の関連商品に意思表示媒体をとりつける。精算時、店員は意思表示媒体の有無を確認し、それに応じた添付物品を客に渡すことが可能になる。【選択図】なし【特許請求の範囲】
【請求項１】
店舗の各所に、割り箸、ストロー等の添付物品が必要か不必要かを明示した意思表示媒体を設け、客が客の意思で弁当等の関連商品に意思表示媒体をとりつける。精算時、店員は意思表示媒体の有無を確認し、それに応じた添付物品を客に渡すことが可能になる。
以上の構成よりなる添付物品の必要か不必要かを明確にする意思伝達及びゴミ削減方法
【発明の詳細な説明】
【技術分野】
【０００１】  本発明は、コンビニエンスストア等で添付される、割り箸、ストロー等の添付物品が必要か不必要かを客と店員双方で明確にし、それに伴いゴミを減らす添付物品の有無を明確にする意思伝達及びゴミ削減方法に関するものである。
【背景技術】
【０００２】  従来、添付物品が必要か不必要かを店員が客に口頭で聞いて添付物品を渡していた。
【発明の開示】
【発明が解決しようとする課題】
【０００３】  これは、次のような欠点があった。
商品ごとに、店員が客に添付物品が必要か不必要かを聞いていたので、双方に煩わしさが生じ、作業効率も悪かった。
客は店員に不必要という意思伝達ができずに余計に添付物品を貰い、ゴミを増やすことがあった。
本発明は、以上のような欠点をなくすためなされたものである。
【問題を解決するための手段】
【０００４】  店舗の各所に、割り箸、ストロー等の添付物品が必要か不必要かを明示した意思表示媒体を設け、客が客の意思で弁当等の関連商品に意思表示媒体をとりつける。精算時、店員は意思表示媒体の有無を確認し、それに応じた添付物品を客に渡すことが可能になる。
本発明は、以上の構成よりなる添付物品の有無を明確にする意思伝達及びゴミ削減方法である。
【発明の効果】
【０００５】  意思表示媒体を用いたことにより、添付物品の必要か不必要かを明確にし意思伝達が円滑になるので、店員の作業効率が上がり、客と店員の煩わしさが軽減される。
また、客は意思表示媒体を自らがとりつける行為から環境問題の意識を高めることになり、添付物品を余計に貰わなくなるのでゴミ削減に繋がる。
【発明を実施するための最良の形態】
【０００６】  以下、本発明を実施するための最良の形態について説明する。
店舗の各商品棚のコーナー等に意思表示媒体となるシールを設ける。客は弁当等の関連商品に対して、添付物品が必要か不必要かを判断し、意思表示媒体となるシールを商品にとりつける。精算時に、店員は商品それぞれに意思表示媒体となるシールの有無を確認し、それに応じた添付物品を客に渡す。
(57)【要約】【課題】デジタルマイクロミラーデバイスを使ったプロジェクターの解像度を2倍にする。【解決手段】デジタルマイクロミラーデバイスの前面に厚さ又は屈折率の違う二組の光の三原色の回転フィルターを設置し、二重にずらして表示することにより、解像度を2倍にする。【選択図】         図１
2007079181.tif 000002
【特許請求の範囲】
【請求項１】
デジタルマイクロミラーデバイスの前面に厚さの違う回転フィルターを設置することにより、見掛けのデジタルマイクロミラーデバイスの位置をずらすことにより、解像度を2倍に上げるプロジェクター。
【請求項２】
デジタルマイクロミラーデバイスの前面に屈折率の違う回転フィルターを設置することにより、見掛けのデジタルマイクロミラーデバイスの位置をずらすことにより、解像度を2倍に上げるプロジェクター。
【発明の詳細な説明】
【技術分野】
【０００１】
本発明は、デジタルマイクロミラーデバイスを用いたプロジェクターに関する。
【背景技術】
【０００２】
従来のデジタルマイクロミラーデバイスを用いたプロジェクターは、1024×768の解像度を出すのに1024×768の画素が必要だった。
【発明の開示】
【発明が解決しようとする課題】
【０００３】
図２は、通常のデジタルマイクロミラーデバイスを使ったプロジェクターの構成である。光源１から出た光は、集光レンズ２を通り、回転する光の三原色のフィルター７を通過してデジタルマイクロミラーデバイス３に当たり、投影レンズ５によりスクリーン６に像を結ぶ。デジタルマイクロミラーデバイスは、微少なミラーの集まりであり、それぞれのミラーの角度を切り替えることにより、画素の点灯を行っている。画素の点灯時間を変えることにより濃淡を表現している。また、光源１とデジタルマイクロミラーデバイスの間に回転する光の三原色のフィルターを設置することにより短い間に光の三原色を切り替えることにより、色を表現する。
【０００４】
通常のデジタルマイクロミラーデバイスで1024×768の画素を表示するときは、1024×768の画素を必要とし、色を表示するために時間的に3分割して光の三原色のそれぞれの色の濃淡の画像を投影する。
【課題を解決するための手段】
【０００５】
図１は、本発明のデジタルマイクロミラーデバイスを使ったプロジェクターの構成である。回転する色フィルター４は、デジタルマイクロミラーデバイス３の前面にあり、投影レンズ５とデジタルマイクロミラーデバイス３の間に挟まれている。回転する色フィルター４は、デジタルマイクロミラーデバイス３対して傾けて設置する。傾ける方向は、図３のようにデジタルマイクロミラーデバイス３のX方向の座標軸８やY方向の座標軸９に対して45度の軸１０に平行で軸１０に対して直角な軸１１に対して角度を持つようにする。図４は、デジタルマイクロミラーデバイス３を真正面から見たときの回転フィルター４の様子を表す。図５は、図３の軸１０に沿って見たときのデジタルマイクロミラーデバイス３と回転フィルター４を表す。
【０００６】
回転フィルター４の構成を図６に示す。通常の回転フィルターは3色3分割になっているが、本発明の回転フィルター４は、3色6分割となっている。各色のフィルターの厚さは、厚い物と薄い物二種類ずつある。
【０００７】
図７は、大気中において、屈折率が1より大きい平行板に光が進入するとき、厚さの違いでどのように光の進路が変わるかを表した。薄い平行板（フィルター）１８のときは、光の進路２０のように進み、厚い平行板（フィルター）１９のときは、光の進路２１のように進む。
【０００８】
投影レンズ側から見た、フィルターが薄いときと厚いときのデジタルマイクロミラーデバイスの見え方を図８に示す。フィルターが薄いときは２２のように見え、フィルターが厚いときは２３のように見える。このようにして、二組の厚さの違う光の三原色の回転フィルターを使うことにより、解像度を4倍に上げることができる。
【発明の効果】
【０００９】
デジタルマイクロミラーデバイスの解像度を2倍に上げることが出来る。
【発明を実施するための最良の形態】
【００１０】
図４のように、回転フィルター４をデジタルマイクロミラーデバイスに対して傾けて設置する。回転フィルターの屈折率により、それぞれのフィルターの厚さや傾ける角度は変わるが、図８のように見えるようにそれぞれの厚さや角度を決定する。
【実施例】
【００１１】
図１が実施例である。
【産業上の利用可能性】
【００１２】
通常の画素数の１／２画素数で表示することもでき、大幅なコストダウンにも繋がる。
【図面の簡単な説明】
【００１３】
【図１】本発明の実施例であり、各構成部品の配置を表している。
【図２】通常のデジタルマイクロミラーデバイスを用いたプロジェクターの構成を表している。
【図３】デジタルマイクロミラーデバイスを正面から見た図で、回転フィルターを傾ける軸を表している。
【図４】デジタルマイクロミラーデバイスを正面から見た図で、回転フィルターがどの用に傾いているかを表している。
【図５】デジタルマイクロミラーデバイスと回転フィルターの傾きを図３の軸１０の沿って見た様子で表している。
【図６】本発明で使われる回転フィルターの構造を表している。
【図７】回転フィルターの厚さが異なるときの光の進み方を表している。
【図８】回転フィルターの厚さが異なるときのデジタルマイクロミラーデバイスの見え方の違いを表している。
【符号の説明】
【００１４】
１  光源
２  集光レンズ
３  デジタルマイクロミラーデバイス
４  回転フィルター
５  投影レンズ
６  スクリーン
７  回転フィルター
８  デジタルマイクロミラーデバイスのX軸
９  デジタルマイクロミラーデバイスのY軸
１０X軸に45度の軸
１１軸１０に対し直角の軸
１２厚い赤のフィルター
１３薄い青のフィルター
１４厚い緑のフィルター
１５薄い赤のフィルター
１６厚い青のフィルター
１７雨水緑のフィルター
１８薄いフィルター
１９厚いフィルター
２０薄いフィルターのときの光の進路
２１厚いフィルターのときの光の進路
２２薄いフィルターのときのデジタルマイクロミラーデバイスの見え方（正面から）
２３厚いフィルターのときのデジタルマイクロミラーデバイスの見え方（正面から）
【図１】
2007079181.tif 000003
【図２】
2007079181.tif 000004
【図３】
2007079181.tif 000005
【図４】
2007079181.tif 000006
【図５】
2007079181.tif 000007
【図６】
2007079181.tif 000008
【図７】
2007079181.tif 000009
【図８】
2007079181.tif 000010
(57)【要約】      （修正有）【課題】カラーフィルタの無い液晶パネルを用いることにより、同じ解像度でカラーフィルタを用いた従来の形成画素数よりも形成画素数を１／３に減らすことのできるカラー表示用液晶表示装置を提供する。【解決手段】空間色分離の無い液晶パネルを用意し、液晶パネルの前面に電圧で屈折率を変えることのできる平行板を液晶に対して斜めに設置する。平行板は透明電極で挟み、平行板の持っている屈折率や屈折率の変化の度合い（電気光学係数）の違いによって平行板の厚さや傾ける角度を設定する。平行板の屈折率を時分割で変える色の順次走査により、同じ画素位置で光の三原色を切り替えることが可能となり、一つの見掛けの画素で３色を表示できることになる。【選択図】図９
2007079180.tif 000002
【特許請求の範囲】
【請求項１】
屈折率を変えることのできる板を、光の三原色がライン上に並んだカラー液晶パネルの前面に傾けて設置し、屈折率を変えることにより見掛けの画素を光の三原色の画素に切り替えて表示する液晶パネル。
【発明の詳細な説明】
【技術分野】
【０００１】
本発明は、透過型あるいは反射型液晶を用いたプロジェクターに関する。
【背景技術】
【０００２】
従来のカラー液晶を用いたプロジェクターは、一つの色（表示ドット）を表示するために、同時に光の三原色に相当する三つの画素の明るさを制御している。
【発明の開示】
【発明が解決しようとする課題】
【０００３】
図２は、透過型液晶パネルの一部を正面から見た図である。図２のように、従来のカラー液晶パネルでは、一つのドットを表示する為に光の三原色に相当する三つの画素、赤３、緑４、青５を必要とする。例えば、1024×768の解像度のパネルには、1024×768×3の画素を形成している。一つのドットを三つの画素で表示するため、画面を大きくすればする程個々の三原色の画素が目立ってしまう。
【課題を解決するための手段】
【０００４】
図１は、三原色の画素が横一列に並んでいる液晶パネルを上から見た図である。図１のように、三原色の画素が一列に並んだカラー液晶パネル１の前面に、屈折率を変えることのできる平行板２を液晶パネルに対し傾けて設置し、時分割で平行板２の屈折率を変えることにより表示される三原色の画素を切り替える。
【０００５】
傾けた平行板の屈折率を変えることにより、見掛けの画素が切り替わる様子を図３から図５で説明する。図３のように、空気中において平行板２の屈折率が1の場合は、視点６から直接背後の赤の画素３が見える。図４のように屈折率をあげると、その隣の緑の画素４が見える。さらに、屈折率をあげると、図５のように青の画素５が見える。このようにして一つの見かけの画素を、時分割で屈折率を変えることにより、隣り合う三つの画素で表示する。
【０００６】
次に、見かけ上の隣り合う画素でどのように色が表示されるかを、時分割されたそれぞれの周期について、図６から図８で説明する。最初の周期では図６のように平行板２の屈折率を1にして、視点６では赤の画素３、視点７では緑の画素４、視点８では青の画素５が見えている。次の周期では図７のように平行板２の屈折率を少し上げ、視点６では緑の画素４、視点７では青の画素５、視点８では赤の画素３が見えている。次の周期では図８のように平行板２の屈折率をまた少し上げ、視点６では青の画素５、視点７では赤の画素３、視点８では緑の画素４が見える。この後は最初の周期に戻り繰り返す。
【０００７】
この様にして、見かけ上隣り合う画素では、ある周期において表示される色が異なる。例えば、図６の視点６では赤緑青であるが、図６の視点７では緑青赤を繰り返し、図６の視点８では青赤緑を繰り返す。
【発明の効果】
【０００８】
画素が大きくなっても、表示画素は赤緑青に分解されず、一つの画素に必要な色が表示される。
【０００９】
また、液晶パネルに形成する画素の数は約３分の１になり、コストを大幅に下げることができる。
【発明を実施するための最良の形態】
【００１０】
図９のように、三原色の画素が一列に並び、その並んでいる線に対してある角度を保って屈折率の変わる平行板２を設置する。
【実施例】
【００１１】
図９のように、液晶パネル１、平行板２を設置する。平行板は、KTN結晶や液晶のように電圧で屈折率が変化するものを用いる。その平行板を透明電極で挟み込む。平行板の傾ける角度や平行板の厚さは、平行板の持っている屈折率や屈折率の変動の度合い（電気光学係数）による。
【産業上の利用可能性】
【００１２】
図１０のようにプリズム１１を設けることにより、プロジェクターだけではなく通常の液晶画面にも用いることができる。
【図面の簡単な説明】
【００１３】
【図１】本発明の液晶パネルを真上から見た図で、光の三原色の画素の並びと傾けた平行板の位置関係を示している。
【図２】通常の液晶パネルを正面から見た図で、光の三原色の画素三つがひとつの表示画素を構成してところを表している。
【図３】屈折率が1のときの光の進み方を示している。
【図４】屈折率が例えば1.1のときの光の進み方を示している。
【図５】屈折率が例えば1.2のときの光の進み方を示している。
【図６】屈折率が1のときにそれぞれの視点から見える（色の）画素を示している。
【図７】屈折率が例えば1.1のときにそれぞれの視点から見える（色の）画素を示している。
【図８】屈折率が例えば1.2のときにそれぞれの視点から見える（色の）画素を示している。
【図９】実施例１
【図１０】本発明の派生型の構造を示している。
【符号の説明】
【００１４】
１  液晶パネル
２  屈折率可変板（液晶、KTN結晶等）
３  液晶パネルの赤の画素
４  液晶パネルの緑の画素
５  液晶パネルの青の画素
６  視点
７  視点
８  視点
９  透明電極
１０空気層
１１プリズム
１２投影レンズ
１３スクリーン
１４光源
【図１】
2007079180.tif 000003
【図２】
2007079180.tif 000004
【図３】
2007079180.tif 000005
【図４】
2007079180.tif 000006
【図５】
2007079180.tif 000007
【図６】
2007079180.tif 000008
【図７】
2007079180.tif 000009
【図８】
2007079180.tif 000010
【図９】
2007079180.tif 000011
【図１０】
2007079180.tif 000012
(57)【要約】【課題】  情報処理装置の障害時に速やかにログ採取し解析を行なうことができるログ採取システムを提供する。【解決手段】  ログ収集手段３は情報処理装置１のログを収集し、ログ記録手段５に記録する。同時にログ収集手段３は、ログ収集手段４が収集した情報処理装置２のログをＬＡＮ経由で収集しログ記録手段５に記録する。同様に、ログ収集手段４は情報処理装置２のログを収集し、ログ記録手段６に記録する。同時にログ収集手段４は、ログ収集手段３が収集した情報処理装置１のログをＬＡＮ経由で収集しログ記録手段６に記録する。情報処理装置１で障害発生した場合は、ログ読み出し手段１３によりログ記録手段６から情報処理装置１のログを読み出し情報処理装置２に接続されたコンソール１５に表示させる又は書き込み可能な媒体１７に書き込む。【選択図】図１
2007199968.tif 000002
【特許請求の範囲】
【請求項１】
通信手段により相互に接続された複数台の情報処理装置間で、各々のログ情報を相互に採取し、１つの情報処理装置で障害が発生した場合に、稼動している他の情報処理装置から障害発生した情報処理装置のログを採取することを特徴とするログ採取システム。
【発明の詳細な説明】
【技術分野】
【０００１】
本発明は、通信手段で接続される情報処理装置間のログ採取システムに関し、特に情報処理装置の障害時に当該情報処理装置のログを採取するログ採取システムに関する。
【背景技術】
【０００２】
特許文献１には、複数のプロセッサを含む情報処理システムにおいて、プロセッサのログデータをプロセッサ間通信により特定情報処理装置に集めて一括管理する方法が開示されている。
【０００３】
【特許文献１】特開平５−５４０１０号公報
【発明の開示】
【発明が解決しようとする課題】
【０００４】
上記従来のログ採取方法では、ログを一括管理する特定の情報処理装置において障害が発生した場合、当該情報処理装置をログ採取可能な状態まで回復させるまで一括管理されたログを採取できない。
【０００５】
本発明の目的は、通信手段で接続されたいずれの情報処理装置で障害が発生した場合でも、残りの情報処理装置から障害発生した情報処理装置のログを採取可能とすることで、従来当該装置をログ採取可能な状態まで回復させるための時間を必要とせず、原因の解析を速やかに実施できるログ採取システムを提供することである。
【課題を解決するための手段】
【０００６】
上記目的を達成するために、本発明のログ採取システムでは、情報処理装置は自情報処理装置内の動作ログ、障害ログを採取するログ収集手段を有する。
【０００７】
本発明の他の目的は、１台の情報処理装置のログを、複数の情報処理装置で記録することにより障害などによるログの消失を回避できるログ採取システムを提供することである
【発明の効果】
【０００８】
本発明により、情報処理装置の障害時に、当該情報処理装置の復旧を待たずに、他の情報処理装置から採取した障害発生情報処理装置のログを解析できるため、障害原因の解析までの時間を短縮することが可能である。
【０００９】
また、本発明により、ログを複数箇所に記録できるため、障害などによりログが消失することを回避可能となる。
【発明を実施するための最良の形態】
【００１０】
図１は本発明の実施例１による２台の情報処理装置及び、ログ収集手段の構成図である。情報処理装置１はログ収集手段３を持ち、自情報処理装置内の障害ログ、動作ログを収集し、ログ記録手段５に保存する。情報処理装置２はログ収集手段４を持ち、自情報処理装置内の障害ログ、動作ログを収集し、ログ記録手段６に保存する。情報処理装置１のログ収集対象選択機構１０に情報処理装置２を登録すると、情報処理装置１のログ収集手段３は、ＬＡＮを介して情報処理装置２のログを収集し情報処理装置１のログ記録手段５に保存する。このとき、採取したログは情報処理装置を識別できる情報を持たせる。同様に情報処理装置２のログ収集対象選択機構１１に情報処理装置１を登録すると、情報処理装置２のログ収集手段４は、ＬＡＮを介して情報処理装置１のログを収集し情報処理装置２のログ記録手段５に保存する。
【００１１】
ログを情報処理装置から採取する場合は、ログ読み出し手段１２又は１３により情報処理装置のコンソール端末１４又は１５に表示、又は、情報処理装置に接続された書き込み可能な媒体１６又は１７に書き込むことで採取を行なう。ログ読み出し手段１２及び１３はログ記録時に付加された識別情報により採取が必要な情報処理装置のログ情報のみを読み出すことが可能となる。これにより、２台の情報処理装置のログを相互に収集でき、障害発生時には別の情報処理装置からログを採取できる。
【００１２】
以上は２台の情報処理装置の例であるが、３台以上の場合でもログ収集対象選択機構に残り情報処理装置を登録することで、各々の情報処理装置に、全ての情報処理装置のログを収集可能できる。
【００１３】
また、ログ収集対象を限定することも可能である。情報処理装置３台の場合、３台の情報処理装置１、２及び２０（図示せず）はログ収集手段を持ち、自情報処理装置内の障害ログ、動作ログを収集し、ログ記録手段に保存する。情報処理装置１のログ収集対象選択機構に情報処理装置２のみを登録しておくと、情報処理装置１のログ収集手段は、ＬＡＮを介して情報処理装置２のログを収集し情報処理装置１のログ記録手段に保存する。このとき、採取したログは情報処理装置を識別できる情報を持たせる。
【００１４】
同様に情報処理装置２のログ収集対象選択機構には情報処理装置２０のみを登録すると、情報処理装置２のログ採取ログ収集手段は、ＬＡＮを介して情報処理装置２０のログを収集し情報処理装置２のログ記録手段に保存する。同様に情報処理装置２０のログ収集対象選択機構に情報処理装置１のみを登録すると、情報処理装置２０のログ収集手段は、ＬＡＮを介して情報処理装置１のログを収集し情報処理装置２０のログ記録手段に保存する。
【００１５】
これにより、３台の情報処理装置のログは、それぞれ２台の情報処理装置で採取することが可能となり、障害発生時に当該情報処理装置のログを別の情報処理装置から採取できる。
【図面の簡単な説明】
【００１６】
【図１】本発明の一実施形態である複数情報処理装置のシステム構成図である。
【符号の説明】
【００１７】
１，２：情報処理装置、３，４：ログ収集手段、５，６：ログ記録手段、７：ＨＵＢまたはＬＡＮスイッチ、８，９：ＬＡＮポート、１０，１１：ログ収集対象選択機構、１２，１３：ログ読み出し手段、１４，１５：コンソール、１６，１７：書き込み可能な媒体
【図１】
2007199968.tif 000003
(57)【要約】【課題】健康な人は一晩に２０数回寝返りをうち、一日中寝ている病人などは、一日にその数倍寝返りを打つので、上を向いている時だけでなく、左右どちらに寝返りを打っても常に表示体を見られることが望ましい。【解決手段】横臥者の身体の中心線の延長上の頭部近くに垂直に立った支柱の途中が横臥者側に折れ曲がっていて、その先端にテレビなどの表示体を横臥者の顔の方を向いて取付可能であり、上記支柱は上記横臥者の目と同じ高さのところで、横方向に左右９０度ずつ回転可能にした。これにより横臥者が寝返りを打ってどちらを向いても、目の前等距離の位置に表示体を持ってくることが出来る。【選択図】図１
2007199099.tif 000002
【特許請求の範囲】
【請求項１】
横臥者の身体の中心線の延長上の、頭部近くに配置されて垂直に立った支柱を有し、該支柱の上方先端部が横臥者側に折れ曲げられていて、その先端に各種表示体を横臥者の顔の方を向いて取付可能であり、上記支柱は、上記横臥者の目と同じ高さのところで、横方向に左右９０度ずつ揺動可能であるように横回転軸部を有していることを特徴とする、横臥して表示体を見る装置。
【発明の詳細な説明】
【技術分野】
【０００１】
本発明は横臥者が、テレビ、パソコン、書籍などの表示体を見る装置に関する。
【背景技術】
【０００２】
従来の横臥者がテレビ、パソコン、書籍などの表示体を見る装置は、横臥者が常に真上を
向いていることを必要条件としている（例えば、特許文献１参照）。
【０００３】
しかるに健康な人は一晩に２０数回寝返りを打つことが医学的に立証されている。又一日
中横臥している病人などは、一日にその数倍寝返りを打つ。寝返りを打つだけの体力のな
い病人や寝たきり老人は、身体の同じ場所を長時間圧迫するので、床擦れになる危険が多
い。それ程、人は横臥しているときに、寝返りを打つことは、重要な条件である。
【０００４】
従って、従来の横臥して表示体を見る装置では、横臥者は、長時間表示体を見ることが苦
痛である。
【０００５】
【特許文献１】実用新案登録第３０８５７２０号広報
【発明の開示】
【発明が解決しようとする課題】
【０００６】
本発明は、このような従来の構造が有していた問題を解決しようとするものであり、横臥
者が左右どの方向に寝返りを打っても、目の前ほぼ等距離の位置にテレビ、パソコン、書
籍などの表示体を設置できる装置を実現することを目的とするものである。
【課題を解決するための手段】
【０００７】
本発明は上記目的を達成するために、横臥者の身体の中心線の延長上の、頭部近くに配置
されて垂直に立った支柱を有し、該支柱の上方先端部が横臥者側に折り曲げられていて、
その先端に各種表示体を横臥者の顔の方を向いて取付可能であり、上記支柱は上記横臥者
の目と同じ高さのところで、横方向に左右９０度ずつ揺動可能であるように横回転軸部を
有しているようにしたものである。
【０００８】
上記支柱は、二重パイプなどにして、高さおよび横方向の長さを可変にしたり、折れ曲が
り部の角度を可変にすると、横臥者が見易い位置に表示体を設置することができる。又支
柱の下端は固定せず、軸中心に回転可能で、且つ適宜の位置で固定可能にすると、本装置
が邪魔なときは回転待避させることができる。又横臥者が寝返りしたときのための装置の
回転は、リモコン操作で出来るようにすると便利である。
【発明の効果】
【０００９】
上述したように本発明の表示体を見る装置は、横臥している人が、寝返りを打ってどの方
向に向いても、目の前の一定距離に表示体を持って来れるので、健康人も病人も長時間疲
れることなく、テレビ、パソコン、本などの表示体を見ることができる。
【００１０】
また病人などの看護の際、表示体が邪魔になるときは、回転待避させて邪魔にならなくな
る。
【発明を実施するための最良の形態】
【００１１】
以下、本発明の実施の形態を図１〜図２に基ずいて説明する。
【００１２】
図において、座板１の一辺の中央に座金２によって支柱３が回転可能に固定されている。
支柱３は上端で折り曲げられ、その先端に液晶テレビ４などの表示体が表示体回転軸５に
より回転可能に固定されている。
【００１３】
支柱３は高さ、横方向の長さ、および折れ曲がり部の角度が可変であると具合が良い。又
支柱３は横臥者の目の高さの位置にある横回転軸６を中心に、横臥者の左右方向に各９０
度ずつ回転可能である。このとき回転に要するトルクは、液晶テレビ４の重量に負けて落
下せず、且つ手で容易に回転可能な強さでなければならない。
【００１４】
座板１は頭部の下で布団やマットレスに挟み込む。又ベッドのときは支柱３の長さを長く
して、床に置くようにしてもよい。
【００１５】
液晶テレビ４のための配線は、図示しないが、一部を除いて、支柱３の中を通してもよい
し、支柱３の外側に固定してもよい。
【図面の簡単な説明】
【００１６】
【図１】本発明の横臥して表示体を見る装置全体の斜視図である。
【図２】ベッドに横臥している人のために、本装置を設置した状況の側面図である。
【符号の説明】
【００１７】
１座板
２座金
３支柱
４液晶テレビ
５表示体回転軸
６横回転軸
【図１】
2007199099.tif 000003
【図２】
2007199099.tif 000004
(57)【要約】      （修正有）【課題】起床後再び寝てしまうことを防止する目覚まし時計を提供する。【解決手段】目覚まし時計のアラーム部の電源ＯＮ・ＯＦＦ切り替えスイッチは、布団に敷かれたセンサーマット３に接続されている。前記センサーマット３は一定の重さが加わると電源がＯＮとなり一定以上の重さが加わらないと電源がＯＦＦのままである。このことより、布団の上から離れるとアラームの鳴り止めとなり、再び布団に戻ると再度アラームが鳴る。【選択図】図１
2007199043.tif 000002
【特許請求の範囲】
【請求項１】
アラームの電源ＯＮ・ＯＦＦスイッチをセンサーマットにした目覚まし時計。
【発明の詳細な説明】
【技術分野】
【０００１】    この発明は、アラームの電源ＯＮ・ＯＦＦ切り替えスイッチをセンサーマットにした目覚まし時計に関するものである。
【背景技術】
【０００２】    従来、一定以上の重さが加わると電源がＯＮになり一定以上の重さが加わらないと電源がＯＦＦのままの電源切り替えスイッチの役割をするセンサーマットを目覚まし時計のアラームＯＮ・ＯＦＦ切り替えスイッチにした目覚まし時計は無かった。
【発明の開示】
【発明が解決しようとする課題】
【０００３】    これは次のような問題点があった。
従来の目覚まし時計には二度寝を防止する機能が無く、二度寝をしてしまうことがあり不便であった。
本発明は、以上のような欠点をなくすためになされたものである。
【課題を解決するための手段】
【０００４】    目覚まし時計のアラームの電源ＯＮ・ＯＦＦ切り替えスイッチをセンサーマットにする。
以上の構成よりなる目覚まし時計である。
【発明の効果】
【０００５】    センサーマットを敷布団の下に敷き時間設定をしてその布団で寝る。目覚まし時計のアラームを止めるにはセンサーマットを敷いた布団の上から離れるだけなので容易に止められる。再び布団に戻ると再度アラームが鳴るため二度寝することができない。
【発明を実施するための最良の形態】
【０００６】    以下、本発明の実施例について説明する。
図１のように目覚まし時計のアラーム時間設定部（４）と目覚まし時計のアラーム音出力部（２）をつなぐ導線をセンサーマット（３）の導線とつなぐ。センサーマットの広さは布団のどこで寝てもアラームが作動するよう敷布団と同程度にするのが最良である。
【図面の簡単な説明】
【０００７】
【図１】本発明の配線図である。
【符号の説明】
【０００８】１  目覚まし時計の時計部
２  目覚まし時計のアラーム音出力部
３  センサーマット
４  日覚まし時計のアラーム時間設定部
【図１】
2007199043.tif 000003
(57)【要約】【課題】ゲルマニウムの効用は金属元素が、人体の皮膚に接触した場合、電子浸透圧が働き、イオン化して皮膚組織の下に浸透して、ゲルマニウム、イオンは血管壁を通して血管に浸透し、血液中で電子の移動が行はれゲルマニウムのイオン効果が現われるのである。しかしフレームの耳掛部に埋め込んだものは、フレームの長さと、使用者の耳部とが合致せず、メガネフレームに装着したゲルマニウムは、人体の皮膚との接触が不確実で、只、装飾的感覚でその効果は半分以下であった。メガネを使用中に、人体の皮膚と確実に接触して、ゲルマニウム効果が最大限に発揮される方法は無いものかと解決の課題とした。【解決手段】その結果、メガネの耳掛部とは別に、鼻部固定用パットに、ゲルマニウムを装着することで、人体の皮膚と、ゲルマニウムの接触が何ら気に掛ける必要も無く自然に正確に計られ、ゲルマニウム効果が得られるので、課題を解決する手段とした。【選択図】図１
2007199643.tif 000002
【特許請求の範囲】
【請求項１】
メガネの鼻部固定用パットにゲルマニウムを装着したメガネ。
【請求項２】
メガネの鼻部固定用パットにゲルマニウムの粉末を接合剤で固形化して整形装着した請求項１のメガネ。
【発明の詳細な説明】
【技術分野】
【０００１】  この発明は、メガネの鼻部固定用のパットに、ゲルマニウムの鉱石を薄くカットして研磨したもの、粉末にして接合剤で薄く固形化整形して装着した、鼻部固定用パットに関するものである。
【背景技術】
【０００２】  従来、メガネのフレームの耳掛部にゲルマニウムを埋め込んだものはあったが、ゲルマニウムの効用は金属元素が、人体の皮膚に接触した場合、電子浸透圧が働き、イオン化して皮膚組織の下に浸透して、ゲルマニウム、イオンは血管壁を願して血管に浸透し、血液中で電子の移動が行はれゲルマニウムのイオン効果が現われるのである。しかしフレームの耳掛部に埋め込んだものは、フレームの長さと、使用者の耳との間でゲルマニウムの位置が適合接触せず、又、髪の毛が邪魔に為り、皮膚に密着せず、ゲルマニウムの効果用が不確実になる欠点があった。
【発明の開示】
【発明の効果】
【０００３】このような欠点を是正する為、メガネに於けるゲルマニウム効果を最大限に発揮する為、メガネのフレームの耳掛部にゲルマニウムを装着する物でなく、メガネの鼻部固定用パットにゲルマニウムを装着すれば、ゲルマニウムと鼻部の接触が何ら障害を受けることなく、スムーズに接触するので、血液が酸性状態であれば、ゲルマニウムの陰イオンが吸着され血液のｐＨを中性にし、逆に、アルカリ状態であれば、電子反転作用で陽イオンとなり、血液中のｐＨを正常に保つ働きをします。このように、ゲルマニウムと人体の皮膚との接触が完全である事が必要課題であるので、ゲルマニウムを、メガネの鼻部用パットに装着したことを特徴とするものである。
【発明が解決しょうとする課題】
【０００４】ゲルマニウムの効用は金属元素が、人体の皮膚に接触した場合、電子浸透圧が働き、イオン化して皮膚組織の下に浸透して、ゲルマニウム、イオンは血管壁を通して血管に浸透し、血液中で電子の移動が行はれゲルマニウムのイオン効果が現われるのである。しかしフレームの耳掛部に埋め込んだものは、フレームの長さが、使用者の耳部が合致せず、メガネフレームに装着したゲルマニウムは、人体の皮膚との接触が不確実で、只、装飾的感覚でその効果は半分以下であった。メガネを使用中に、人体の皮膚と確実に接触して、ゲルマニウム効果が最大限に発揮される方法は無いかと解決の課題とした。
【課題を解決するための手段】
【０００５】その結果、メガネの耳掛部とは別に、鼻部固定用パットに、ゲルマニウムを装着することで、人体の皮膚と、ゲルマニウムの接触が何ら気に掛ける必要も無く自然に正確に計られ、ゲルマニウム効果が得られるので、課題を解決する手段とした。
【発明を実施するための最良の形態】
【０００６】本発明は、メガネの鼻部固定用パットにゲルマニュウムを装着するものである。図１のメガネのレンズ１の外枠２の一部に、鼻部パット３を細かい支柱をろう付けした先端に取付けたものに、ゲルマニウムを円形に整形した固形、又は、粉末を接合剤で固め円形に整形したゲルマニウム４を接着や埋め込みして装着したものである。このように、することで、人体の皮膚とゲルマニュウム４とがメガネを掛けると、自然に密着するので、ゲルマニウムを装着した効果が発揮されるものである。
【産業上の利用可能性】
【０００７】本発明の鼻部固定用パットにゲルマニウムを装着することで、メガネのパット部分のゲルマニウムと人体の目頭部分が接触して、顔面の一番大事な眉間部分に作用する、ゲルマニウムのイオン効果血流効果等、医療の分野で治療効果があるものである。メガネを掛けている間、其の恩恵を自然に被るものである。このように、日常生活のなかで、ゲルマニウムの効用は金属元素が、人体の皮膚に接触した場合、電子浸透圧力が働き、イオン化して皮膚組織の下に浸透して、ゲルマニウム、イオンは血管壁を通して血管に浸透し、血液中で電子の移動が行はれゲルマニウムのイオン効果が現われるのである。本メガネを着用すると、生活習慣を変える事無く、頭部から、イオンの作用効果で、脳内の血行の改善が図られ、特に老化による生活習慣病の、頭痛、痴呆症、脳溢血、脳血栓、脳内出血等の頭部から来る、難病の病気予防、治癒、改善に効果的である。又メガネの付加価値が上がり、頭部から来る病気の予防改善に効果的であることは、高齢化社会に於ける、一番問題な医療費の軽減になり、個人の支出、国の医療費の支出を問わず、社会生活に貢献して、ひいては産業経済の発展に寄与するものである。
本案のメガネは、通常のメガネとしても、健康補助具としても使用でき、特別な操作も必要なく、只、着用するだけで簡単で、効果は顕著なものがある。
【図面の簡単な説明】
【０００８】
【図１】メガネの斜視図である。
【図２】メガネの鼻部固定用パットの正面図である。
【符号の説明】
【０００９】          １はレンズ      ３は鼻部固定用パット
２はレンズの枠  ４はゲルマニウム
【図１】
2007199643.tif 000003
【図２】
2007199643.tif 000004
(57)【要約】【課題】従来履物を履くときに中腰あるいは腰を下ろして足と靴の隙間に指を入れたり、無理やり足を履物に突っ込んで履こうとしていた。これでは腰痛の人などは辛く、また履物の踵を押しつぶしてしまうこともある。そこでそのまま直立した状態で足に体重をかけることでバックベルトが自動的に上がり踵部を保持する固定具を提供する。【解決手段】履物の土踏まずあたり下部の靴底に回転軸２を設けた本体１が履物両側面にあり、その先端にバックベルト５と履物後部に取り付けられた引き下げ用バンド６がバックベルト通し孔に装着されている。履く時の体重の負荷により自動的にバックベルト５が上がり、踵が固定されることを特徴とする。またバンド６を引き下げることで容易に脱ぐことができる。【選択図】図１
2007037758.tif 000002
【特許請求の範囲】
【請求項１】
履物の土踏まずあたり下部の靴底に回転軸を設けた合成樹脂材料から形成された本体が履物両側面にあり、その先端にバックベルトと履物後部に取り付けられた引き下げ用バンドがバックベルト通し孔に装着されている。履く時の体重の負荷により自動的にバックベルトが上がり、踵が固定されることを特徴とする踵部固定具。
【請求項２】
回転軸の周囲の履物側面および本体に、凸部と凹部あるいは孔部を設けたストッパーを一つ以上備えた請求項１記載の踵部固定具。
【請求項３】
バックベルトの両端もしくは片端に、面ファスナを取り付けた請求項１ないし請求項２のいずれかに記載の踵部固定具。
【請求項４】
バックベルトが弾性材料（ゴムバンド等）から成る請求項１ないし請求項２のいずれかに記載の踵部固定具。
【発明の詳細な説明】
【技術分野】
【０００１】
本発明は、履物に取り付けられた回転する固定具が、履くときに体重の重みでバックベルトとともに上がり、踵が固定される踵部固定具に関するものである。
【背景技術】
【０００２】
従来は、履いたり脱いだりが煩わしく時間を要していた。特に幼児、高齢者、身体の不自由な方は苦労していた。  
【発明の開示】
【発明が解決しようとする課題】
【０００３】
解決しようとする問題点は、従来履物を履くときに中腰あるいは腰を下ろして足と靴の隙間に指を入れたり、無理やり足を履物に突っ込んで履こうとしていた。これでは腰痛の人などは辛く、また履物の踵を押しつぶしてしまうこともある。本発明は、このような煩わしさや不便さをなくすためになされたものである。
【課題を解決するための手段】
【０００４】
本発明は、履物の土踏まずあたり下部の靴底に回転軸を設けた合成樹脂材料から形成された本体が履物両側面にあり、その先端にバックベルトと履物後部に取り付けられた引き下げ用バンドがバックベルト通し孔に装着されている。履く時の体重の負荷により自動的にバックベルトが上がり、踵が固定されることを特徴とする踵部固定具である。脱ぐときは、バンドを引き下げることにより容易に踵を外すことができる。
【０００５】
また、回転軸の周囲の履物側面および本体に、凸部と凹部あるいは孔部を設けたストッパーにより、履く前と履いた後の位置でロックされ、思わぬ回転移動やぐらつきを防ぐ。
【０００６】
足の大きさには個人差があるため、バックベルトの両端もしくは片端に、面ファスナを取り付けたり、バックベルトの素材を弾性材料（ゴムバンド等）にする。
【発明の効果】
【０００７】
以上説明したように本発明により、履くとき中腰あるいは腰を下ろすこともなく、そのまま直立した状態で足に体重をかけることで固定具の底辺が上方に押され、自動的にバックバンドが踵上部に近づきながら上がり固定されるので楽に履くことができる。たとえ誤って履物を踏みつけても、バンドを引き下げることで容易に履きなおすことができる。同様脱ぐときもバンドを引き下げることにより、バックベルトが踵から離れるように回転して外れ、ストッパーでロックされ簡単に踵を外すことができる。これで誰でも履きやすく脱ぎやすい履物になり、今までの煩わしさから開放される。
【発明を実施するための最良の形態】
【０００８】
以下、本発明の実施の形態を図面に基づき詳細に説明する。
【０００９】
図１〜図２の（Ａ）（Ｂ）は、履く前と履いた後の状態を示している。図３〜図４は回転軸をハッチで示した上面図と背面図である。
【００１０】
履物の土踏まずあたり下部の靴底に回転軸２を設けた合成樹脂材料から形成された本体１が履物両側面にあり、その先端にバックベルト５と履物後部に取り付けられた引き下げ用バンド６がバックベルト通し孔に装着されている。
【００１１】
図２に示すように、靴底に回転軸２を設けることで、バックベルト５が理想的な回転軌跡を描く。これにより履きやすく脱ぎやすい履物になる。
【００１２】
回転軸２の周囲の履物側面および本体１に、凸部と凹部あるいは孔部を設けたストッパー３を取り付けることで、履く前と履いた後の位置でロックされ、思わぬ回転移動やぐらつきを防ぐ。
【００１３】
バックベルト５の両端もしくは片端に、面ファスナ７を取り付ける。あるいはバックベルト５の素材を弾性材料（ゴムバンド等）にする。これによりそれぞれの足の大きさの微調整が可能となる。
【図面の簡単な説明】
【００１４】
【図１】本発明の斜視図である。
【図２】本発明の側面図である。
【図３】本発明の上面図である。
【図４】本発明の背面図である。
【符号の説明】
【００１５】
Ａ    履く前の状態
Ｂ    履いた後、踵が固定された状態
１    本体
２    回転軸
３    ストッパー
４    地面接地部
５    バックベルト
６    引き下げ用バンド
７    面ファスナ
【図１】
2007037758.tif 000003
【図２】
2007037758.tif 000004
【図３】
2007037758.tif 000005
【図４】
2007037758.tif 000006
(57)【要約】【課題】共鳴板に袋部分を設けた携帯電話機用ホルダーを提供する。【解決手段】携帯電話機の着信振動音をより確実に感知する携帯電話機の横幅と同程度の幅の共鳴板の上部に折り曲げ部を設け、他端には底受けを設け、中央部には殆どの折畳携帯電話機が入る余裕ある袋部分を設け、縦方向はマジックテープの留め方により折畳携帯電話機の殆どの機種の収納に対応できる事を特徴とする携帯電話機用ホルダー。【選択図】図１
2007037074.tif 000002
【特許請求の範囲】
【請求項１】
携帯電話機の着信振動音をより確実に感知する携帯電話機の横幅と同程の幅の共鳴板の上部に折り曲げ部を設け、他端には底受けを設け、中央部にはどの折畳携帯電話機が入る余裕ある袋部分を設け、縦方向はマジックテープ留め方により折畳携帯電話機の殆どの機種の収納に対応できる事を特徴とする携帯電話機用ホルダー。
【発明の詳細な説明】
【技術分野】
【０００１】  この発明は、着信振動音感知折畳式携帯電話機用ホルダーに関するものである。
【背景技術】
【０００２】  従来、折畳式携帯電話機の着信振動音を感知し、その度毎にホルダーごとズボンのベルトから取り外す対応機種を限定したものがあった。
それは折畳式携帯電話機のみでは使用できず、使用の度にホルダーごとズボンのベルトをこすりながら出し入れをするのでズボンのベルトが傷ついてしまうものだった。
又、折畳式携帯電話機の着信振動音の感知は背面のみで底部分での感知は出来ず機種限定の為、他の機種には対応できないものであった。
【発明の開示】
【発明が解決しようとする課題】
【０００３】  そのために、次のような問題点があった。
（イ）度々、折畳式携帯電話機を使用すると折り曲げ部の摩擦でズボンのベルトを傷つけてしまう。
（ロ）折畳式携帯電話機のみでの使用が出来ない。
（ハ）機種限定なので他の機種では使用できない。
（ニ）着信振動音をより感知し易くする為の底部分の感知機能が無い。
本発明は、これらの問題点を解決するためになされたものである。
【課題を解決する為の手段】
【０００４】  携帯電話機の着信振動音をより確実に感知する携帯電話機の横幅と同程度の幅の共鳴板の上部に折り曲げ部を設ける。
他端には底受けを設け、中央部には殆どの折畳携帯電話機が入る余裕ある袋部分を設ける。
縦方向はマジックテープ（登録商標）の留め方により折畳携帯電話機の殆どの機種の収納に対応できる。
以上を特徴とする携帯電話機用ホルダーである。
【発明の効果】
【０００５】  着信振動音が背面と底部で確実に感知できる。
度々の折畳式携帯電話機使用時に折り曲げ部の摩擦でズボンのベルトを傷つける事がない。
折畳式携帯電話機の殆どの機種に対応できる。
【発明を実施するための最良の形態】
【０００６】  以下、本発明の実施の形態について説明する。
外皮で覆われた共鳴板（１）は蓋ベルト（２）、袋部分（３）を設ける。
共鳴板（１）は先端を曲げて折り曲げ部（６）を設け、他の端も曲げて底受け（７）を設ける。
蓋ベルト（２）はマジックテープａ（４）を、袋部分（３）はマジックテープｂ（５）を設ける。
本発明は以上のような構成で、これを使用するときは、人がベルトを使用してズボンを着用した時、そのベルトに折り曲げ部（６）を挟み、その後、袋部分（３）に折畳式携帯電話機（８）をいれて蓋ベルト（２）のマジックテープａ（４）と袋部分（３）のマジックテープｂ（５）を出来るだけ引き寄せて締結する。
着信時には着信振動音が共鳴板（１）の背面及び底部を通して使用者の腹部に伝わる。
その時、マジックテープａ（４）をマジックテープｂ（５）から外して折畳式携帯電話機（８）を取り出して使用し、使用後ははじめと同様に収納する。
【図面の簡単な説明】
【０００７】
【図１】本発明の縦型に開放した状態を示した斜視図
【図２】本発明の縦型に収納した時の斜視図
【図３】本発明の縦型で一部を断面にした側面図
【図４】本発明の横型に開放した状態を示した斜視図
【図５】本発明の横型に収納した時の斜視図
【図６】本発明の横型で一部を断面にした側面図
【符号の説明】
【０００８】        １  共鳴板
２  蓋ベルト
３  袋部分
４  マジックテープａ
５  マジックテープｂ
６  折り曲げ部
７  底受け
８  折畳式携帯電話機
【図１】
2007037074.tif 000003
【図２】
2007037074.tif 000004
【図３】
2007037074.tif 000005
【図４】
2007037074.tif 000006
【図５】
2007037074.tif 000007
【図６】
2007037074.tif 000008
(57)【要約】【課題】一般の使用者がその日の用途や気分にて応じて、自由に各種のポケットや装飾用のワッペン等を交換したり、組み合わせたり出来るオリジナル性のあるバッグを提供する。【解決手段】面ファスナーの一方（ループ面又はフック面）を主バッグの表面および内面に取り付ける。一方、相方の面ファスナーを各種のポケットや装飾用のワッペン等の裏面に取り付ける。これらの面ファスナーを利用して、主バッグに各種のポケットやワッペン等を自由に貼り付けたり交換したりできるようにする。【選択図】  図５
2007037688.tif 000002
【特許請求の範囲】
【請求項１】
面ファスナーの一方（ループ面又はフック面）をバッグの外面およびその内面に、相方の面ファスナーを各種ポケットや装飾用のワッペン等の裏面にそれぞれ取り付け、これらのポケットやワッペンを面ファスナーの特性を利用して、自由に取り付けたり取り外したりできるバッグ。
【発明の詳細な説明】
【技術分野】
【０００１】
この発明は、使用者の用途に応じて自由に各種のポケットや装飾用のワッペン等をバッグの表面および内面に自由に脱着できる構造のバッグに関するものである。
【背景技術】
【０００２】
従来の市販のバッグは、ポケットや装飾用のワッペン等がバッグ本体に縫製や接着等にて固定してある構造で、使用者の用途や個性に応じて自由に変えられなく、使用者は用途に合わせていくつものバッグを使い分けしなければならなかった。
【発明の開示】
【発明が解決しようとする課題】
【０００３】
この発明は、縫製や接着にて交換や移動のできなかった各種のポケットやワッペン等を一般の使用者がその日の用途や気分に合わせて自由に交換したり、移動させたりを容易に出来るバッグを提供することである。
【課題を解決するための手段】
【０００４】
（イ）バッグの表面および内面に面ファスナーのループ面またはフック面の一方を取り付ける。
（ロ）バッグに取り付ける各種ポケットや装飾用ワッペンの裏面に面ファスナーの相方（主バッグに取り付けていない方）を取り付ける。
（ハ）使用者の用途に対応できるようにいろいろなタイプのポケットやワッペン等を作成する。また、市販の面ファスナーを利用して、使用者がオリジナルのポケットやお気に入りのワッペンを自作し、使用することも可能とする。
【発明の効果】
【０００５】
この発明は、面ファスナーの特徴をバッグおよび各種ポケットや各種装飾品に利用することにより、下記のような各利点を使用者に提供できる。
１）各種のポケットやワッペン等を自由に交換したり移動させることにより、使用者にとってオリジナル製のあるバッグを提供できる。
２）使用者の用途に応じてポケットの種類や数を変えることにより、主バッグの用途を多くできる。
３）普段使用するバッグを固定できることにより、外出時の必需品等を入れ替えしなくても外出できる。
４）用途別（通勤・通学用、旅行用、レジャー用等）に専用の小物用ポケットを用意しておけば、外出時の準備が容易になる。
５）外出先等でバッグの容量が不足したとき、普段はバッグの内部にあるポケットや小型のバッグを外側に張り替える事により主バッグの容量を増やせる。
６）折りたたみ可能な補助バッグを主バッグに入れておけば、旅行先等で荷物が増えても別のバッグを持たなくても済む。
７）市販の面ファスナーを利用すれば、使用者のオリジナルのポケットやお気に入りのワッペンを気軽に自作できる。
【実施例】
【０００６】
以下、本発明の実施例（３種類）について説明する。
（イ）主バッグ（１：ａ〜ｃ）の表面および内面の全体または大半の面積にループ側の面ファスナー（２）を取り付ける。
（ロ）主バッグ（１）に取り付ける各種ポケット（３：ａ〜ｊ）およびワッペン（４）の裏面にフック側の面ファスナー（５）を取り付ける。
（ハ）主バッグに取り付けるポケットには通常のポケット（３−ａ）のほか、いろいろなタイプのものを用意する。代表例として以下のようなものがある。
１）ポケットの口をファスナーやボタンで閉じられるポケット（３−ｂ）
２）携帯電話やメガネ等を入れる細長いポケット（３−ｃ）
３）筆記具を差し込む極細のポケット（３−ｄ）
４）指輪や化粧品等の小物を入れるファスナーやボタン付の小さなポケット（３−ｅ）
５）主バッグの容量を補足するための幅の広いポケット：小型バッグ（３−ｆ）
６）お気に入りの写真や地図等を入れられる透明なカードタイプのポケット（３−ｇ）
７）内容物が外から見つけやすいネット状のポケット（３−ｈ）
８）カメラのスタンドや折りたたみの傘などを入れられる長細いポケット（３−ｉ）
９）折りたたみ可能な布製やビニール製の補助バッグ（３−ｊ）
（二）ループ側の面ファスナー（２）は、主バッグ（１）に縫製等しているオリジナルのポケット（６）や大きめの装着用ポケット（３−ａ，３−ｆ等）の表面および内面にも取り付け、主バッグ本体と同様にその他の小さめのポケットや装飾用ワッペンを装着できる。
本発明は、以上のような構造で、使用者が自分の用途やその日の気分に応じて各種のポケットやワッペンを自由に交換できるオリジナル製を有するバッグを提供する。なお、本発明におけるバッグの種類は、タイプ（手提げタイプ、リュックサックタイプ、肩掛けタイプ等）や大きさ等には特に限定されない。
【図面の簡単な説明】
【０００７】
【図１】主バック（３種類）の外観図である。
【図２】主バック（手提げタイプ）の内側の外観図である。
【図３】ポケット裏側の外観図である。
【図４】装飾用ワッペン裏側の外観図である。
【図５】手提げタイプバッグの使用例（２種類）の外観図である。
【図６】リュックサックタイプの使用例（２種類）の外観図である。
【図７】肩掛けタイプタイプバッグの使用例（２種類）の外観図である。
【符号の説明】
【０００８】
１−ａ．  手提げタイプの主バッグ
１−ｂ．  リュックサックタイプの主バッグ
１−ｃ．  肩掛けタイプの主バッグ
２．      面ファスナーのループ面
３−ａ．  通常のポケット
３−ｂ．  ポケットの口を閉じられるポケット
３−ｃ．  細長いポケット
３−ｄ．  筆記具用のポケット
３−ｅ．  チャック付の小さなポケット
３−ｆ．  大きなポケット（小型バッグ）
３−ｇ．  透明なカードタイプのポケット
３−ｈ．  外側がネット状のポケット
３−ｉ．  長細いポケット  
３−ｊ．  折りたたみ可能な補助バッグ
４．      装飾用ワッペン
５．      面ファスナーのフック面
６．      主バッグに縫製等しているオリジナルのポケット
【図１】
2007037688.tif 000003
【図２】
2007037688.tif 000004
【図３】
2007037688.tif 000005
【図４】
2007037688.tif 000006
【図５】
2007037688.tif 000007
【図６】
2007037688.tif 000008
【図７】
2007037688.tif 000009